(57)【特許請求の範囲】
【請求項１】
ディスプレイと、
前記ディスプレイを収容した筐体と、
前記筐体を回転可能に支持する軸部を有したスタンドと、
前記軸部の軸方向と交差する第一方向に前記筐体に対して凸の湾曲状であり前記軸部を覆った壁を有し、前記筐体に着脱可能なカバーと、
を備え、
前記壁は、前記軸方向および前記第一方向と交差する第二方向に並ぶ二つの部分に分割され、
前記カバーは、前記二つの部分の一方を有した第一部材と、前記二つの部分の他方を有した第二部材と、を有し、
前記第一部材と前記第二部材とは、前記第二方向に並び、
前記第一部材および前記第二部材は、互いの最も離れた端部に前記筐体に引っ掛かる第一爪を有した、表示装置。
【請求項２】
ディスプレイと、
前記ディスプレイを収容した筐体と、
前記筐体を回転可能に支持する軸部を有したスタンドと、
前記軸部の軸方向と交差する第一方向に前記筐体に対して凸の湾曲状であり前記軸部を覆った壁を有し、前記筐体に着脱可能なカバーと、
を備え、
前記壁は、前記軸方向および前記第一方向と交差する第二方向に並ぶ二つの部分に分割され、
前記カバーは、前記二つの部分の一方を有した第一部材と、前記二つの部分の他方を有した第二部材と、を有し、
前記第一部材と前記第二部材とは、前記第二方向に並び、
前記二つの部分のうち一方に位置決め用爪が設けられ、
前記二つの部分のうち他方に前記位置決め用爪が入れられた孔が設けられた、表示装置。
【請求項３】
ディスプレイと、
前記ディスプレイを収容した筐体と、
前記筐体を回転可能に支持する軸部を有したスタンドと、
前記軸部の軸方向と交差する第一方向に前記筐体に対して凸の湾曲状であり前記軸部を覆った壁を有し、前記筐体に着脱可能なカバーと、
突起と、
を備え、
前記壁は、前記軸方向および前記第一方向と交差する第二方向に並ぶ二つの部分に分割され、
前記カバーは、前記二つの部分の一方を有した第一部材と、前記二つの部分の他方を有した第二部材と、を有し、
前記第一部材と前記第二部材とは、前記第二方向に並び、
前記軸部は、前記軸方向に互いに間隔を空けて二つ設けられ、
前記突起は、前記第一部材および前記第二部材の少なくとも一方に設けられ、前記軸方向と直交する方向から見た場合に二つの前記軸部の外側に位置され、二つの前記軸部から離間するように前記軸方向に突出し前記筐体に引っ掛かった、表示装置。
【請求項４】
ディスプレイと、
前記ディスプレイを収容した筐体と、
前記筐体を回転可能に支持する軸部を有したスタンドと、
前記軸部の軸方向と交差する第一方向に前記筐体に対して凸の湾曲状であり前記軸部を覆った壁を有し、前記筐体に着脱可能なカバーと、
突起と、
を備え、
前記壁は、前記軸方向および前記第一方向と交差する第二方向に並ぶ二つの部分に分割され、
前記カバーは、前記二つの部分の一方を有した第一部材と、前記二つの部分の他方を有した第二部材と、を有し、
前記第一部材と前記第二部材とは、前記第二方向に並び、
前記第一部材および前記第二部材の少なくとも一方には、作業者の指の挿入が可能な作業孔が設けられ、
前記軸部は、前記軸方向に互いに間隔を空けて二つ設けられ、
前記突起は、前記第一部材および前記第二部材のうち前記作業孔が設けられた方において前記作業孔ごとに設けられ、前記軸方向と直交する方向から見た場合に二つの前記軸部の外側に位置され、対応する前記作業孔から離間するようにかつ二つの前記軸部から離間するように前記軸方向に突出し、前記筐体に引っ掛かった、表示装置。
【請求項５】
前記第一部材および前記第二部材は、互いの最も離れた端部に前記筐体に引っ掛かる第一爪を有した、請求項２〜４のうちいずれか一つに記載の表示装置。
【請求項６】
前記第一部材および前記第二部材の少なくとも一方は、前記軸方向の端部に設けられ、先端部に湾曲部を有した第二爪を有し、
前記筐体には、前記湾曲部が入れられた孔が設けられた、請求項１または５に記載の表示装置。
【請求項７】
前記第一部材および前記第二部材の少なくとも一方には、作業者の指の挿入が可能な作業孔が設けられた、請求項１〜３のうちいずれか一つに記載の表示装置。
【請求項８】
前記二つの部分のうち一方に位置決め用爪が設けられ、
前記二つの部分のうち他方に前記位置決め用爪が入れられた孔が設けられた、請求項１，３，４のうちいずれか一つに記載の表示装置。
【請求項９】
前記第一部材および前記第二部材の少なくとも一方に設けられ、前記軸方向に突出し前記筐体に引っ掛かった突起を備えた、請求項１または２に記載の表示装置。
【請求項１０】
前記筐体と前記スタンドとを結合した結合具を備え、
前記カバーは、前記結合具を覆った、請求項１〜９のうちいずれか一つに記載の表示装置。
【発明の詳細な説明】
【技術分野】
【０００１】
本発明は、表示装置に関する。
【背景技術】
【０００２】
従来、ディスプレイと、ディスプレイを収容した筐体と、を備える表示装置が知られている。
【先行技術文献】
【特許文献】
【０００３】
【特許文献１】特開２０１４−１５５０６０号公報
【発明の概要】
【発明が解決しようとする課題】
【０００４】
この種の表示装置では、筐体を支持したスタンドと、スタンドの一部を覆ったカバーと、を備えるものがある。形状の異なる複数種類のスタンドのそれぞれに応じて複数種類のカバーが設定されると、カバーの種類が多くなってしまうという問題がある。
【０００５】
そこで、本発明の課題の一つは、他の表示装置とカバーの共通化がしやすい新規な構成の表示装置を得ることである。
【課題を解決するための手段】
【０００６】
本発明の第一態様にかかる表示装置は、例えば、ディスプレイと、前記ディスプレイを収容した筐体と、前記筐体を回転可能に支持する軸部を有したスタンドと、前記軸部の軸方向と交差する第一方向に前記筐体に対して凸の湾曲状であり前記軸部を覆った壁を有し、前記筐体に着脱可能なカバーと、を備え、前記壁は、前記軸方向および前記第一方向と交差する第二方向に並ぶ二つの部分に分割され、前記カバーは、前記二つの部分の一方を有した第一部材と、前記二つの部分の他方を有した第二部材と、を有し、前記第一部材と前記第二部材とは、前記第二方向に並んでいる。
【０００７】
前記表示装置は、例えば、前記筐体と前記スタンドとを結合した結合具を備え、前記カバーは、前記結合具を覆う。
【０００８】
前記表示装置は、例えば、前記第一部材および前記第二部材は、互いの最も離れた端部に前記筐体に引っ掛かる第一爪を有する。
【０００９】
前記表示装置は、例えば、前記第一部材および前記第二部材の少なくとも一方は、前記軸方向の端部に設けられ、先端部に湾曲部を有した第二爪を有し、前記筐体には、前記湾曲部が入れられた孔が設けられている。
【００１０】
前記表示装置では、例えば、前記第一部材および前記第二部材の少なくとも一方には、作業者の指の挿入が可能な作業孔が設けられている。
【００１１】
前記表示装置では、例えば、前記二つの部分のうち一方に位置決め用爪が設けられ、前記二つの部分のうち他方に前記位置決め用爪が入れられた孔が設けられている。
【００１２】
前記表示装置は、例えば、前記第一部材および前記第二部材の少なくとも一方に設けられ、前記軸方向に突出し前記筐体に引っ掛かった突起を備える。
【００１３】
前記表示装置は、例えば、前記第一部材および前記第二部材のうち前記作業孔が設けられた方において前記作業孔ごとに設けられ、対応する前記作業孔から離間するように前記軸方向に突出した突起を備える。
【００１４】
前記表示装置では、例えば、前記軸部は、前記軸方向に互いに間隔を空けて二つ設けられ、前記軸方向と直交する方向から見た場合に二つの前記軸部の外側に位置され、二つの前記軸部から離間するように前記軸方向に突出し、前記筐体に引っ掛かった前記突起を備える。
【発明の効果】
【００１５】
本発明の上記態様によれば、他の表示装置とカバーの共通化がしやすい新規な構成の表示装置を得ることができる。
【図面の簡単な説明】
【００１６】
【図１】図１は、実施形態の第一電子機器の正面側からの例示的な斜視図である。
【図２】図２は、実施形態の第一電子機器の背面側からの例示的な斜視図である。
【図３】図３は、実施形態の第二電子機器の正面側からの例示的な斜視図である。
【図４】図４は、実施形態の第二電子機器の背面側からの例示的な斜視図である。
【図５】図５は、実施形態の第一電子機器の背面側からの例示的な分解斜視図である。
【図６】図６は、実施形態の第一電子機器の例示的な背面図であって、スタンドカバーが取り外された状態の図である。
【図７】図７は、実施形態の第一電子機器における第一スタンドの正面側からの例示的な斜視図である。
【図８】図８は、実施形態の第一電子機器における筐体の例示的な背面図である。
【図９】図９は、実施形態の第一電子機器における筐体の背面側からの例示的な斜視図である。
【図１０】図１０は、実施形態の第一電子機器における筐体の背面側からの例示的な斜視図である。
【図１１】図１１は、実施形態の第一電子機器における一部の例示的な断面図である。
【図１２】図１２は、実施形態の第一電子機器におけるカバーの上側部材の背面側からの例示的な斜視図である。
【図１３】図１３は、実施形態の第一電子機器におけるカバーの上側部材の正面側からの例示的な斜視図である。
【図１４】図１４は、実施形態の第一電子機器におけるカバーの上側部材の例示的な正面図である。
【図１５】図１５は、実施形態の第一電子機器におけるカバーの上側部材の一部の例示的な斜視図である。
【図１６】図１６は、実施形態の第一電子機器におけるカバーの上側部材の一部の例示的な斜視図である。
【図１７】図１７は、実施形態の第一電子機器におけるカバーの下側部材の背面側からの例示的な斜視図である。
【図１８】図１８は、実施形態の第一電子機器におけるカバーの下側部材の背面側からの例示的な斜視図である。
【図１９】図１９は、実施形態の第一電子機器におけるカバーの下側部材の例示的な正面図である。
【図２０】図２０は、実施形態の第一電子機器におけるカバーの下側部材の一部の例示的な斜視図である。
【図２１】図２１は、実施形態の第一電子機器のカバーの着脱工程を例示的に示す図である。
【図２２】図２２は、実施形態の第一電子機器のカバーの着脱工程を例示的に示す図である。
【図２３】図２３は、実施形態の第二電子機器の例示的な背面図であって、スタンドカバーが取り外された状態の図である。
【図２４】図２４は、実施形態の第二電子機器における第二スタンドの正面側からの例示的な斜視図である。
【図２５】図２５は、実施形態の第二電子機器のカバーの着脱工程を例示的に示す図である。
【発明を実施するための形態】
【００１７】
以下、本発明の例示的な実施形態が開示される。以下に示される実施形態の構成、ならびに当該構成によってもたらされる作用および効果は、一例である。本発明は、以下の実施形態に開示される構成以外によっても実現可能である。また、本発明によれば、構成によって得られる種々の効果（派生的な効果も含む）のうち少なくとも一つを得ることが可能である。
【００１８】
なお、本明細書では、序数は、部品や、部材、部位、位置、方向等を区別するためだけに用いられており、順番や優先度を示すものではない。
【００１９】
（電子機器の概要）
図１は、実施形態の第一電子機器１Ａの正面側からの例示的な斜視図である。図２は、実施形態の第一電子機器１Ａの背面側からの例示的な斜視図である。図３は、実施形態の第二電子機器１Ｂの正面側からの例示的な斜視図である。図４は、実施形態の第二電子機器１Ｂの背面側からの例示的な斜視図である。
【００２０】
図１および図２に示される第一電子機器１Ａと、図３および図４に示される第二電子機器１Ｂとは、所謂オールインワン型のパーソナルコンピュータとして構成されている。第一電子機器１Ａと第二電子機器１Ｂとは、それぞれのスタンド４である第一スタンド４Ａおよび第二スタンド４Ｂを除いて互いに同様に構成されている。以後、第一電子機器１Ａおよび第二電子機器１Ｂの総称として電子機器１を用いる。なお、電子機器１は、上記例には限定されず、例えば、映像表示装置、テレビジョン受像機、ゲーム機等であってもよい。電子機器１は、表示装置の一例である。
【００２１】
（第一電子機器）
図５は、実施形態の第一電子機器１Ａの背面側からの例示的な分解斜視図である。図１、図２、および図５に示されるように、第一電子機器１Ａは、筐体２と、筐体２に収容されたディスプレイ３と、筐体２を支持した第一スタンド４Ａと、第一スタンド４Ａの一部を覆ったスタンドカバー２５と、を備えている。第一スタンド４Ａは、不図示の机や、棚、台等の載置対象上に載置され、筐体２を支持する。第一スタンド４Ａは、支持体とも称される。また、筐体２には、ディスプレイ３の他に、回路基板装置５等の収容品が収容されている。回路基板装置５には、プロセッサ、メモリ等の各種の電子部品が実装されている。
【００２２】
本実施形態では、便宜上、方向が定義されている。Ｘ方向は、筐体２の幅方向（左右方向、長手方向）に沿う方向である。Ｘ方向は右方、Ｘ方向の反対方向は左方とも称される。Ｙ方向は、筐体２の前後方向（厚さ）の前方と同じである。Ｚ方向は、筐体２の上下方向の上方（高さ方向）と同じである。Ｘ方向、Ｙ方向、およびＺ方向は、互いに直交している。
【００２３】
図１および図５に示されるように、ディスプレイ３は、表示画面３ａと、表示画面３ａの反対側の後面３ｂと、周縁部と、を有する。後面３ｂは、背面とも称される。ディスプレイ３は、例えば液晶ディスプレイである。なお、ディスプレイ３は、有機ディスプレイ等であってもよい。
【００２４】
図５に示されるように、筐体２は、複数の部材の組み合わせによって構成されている。具体的には、筐体２は、正面カバー２１と、シャーシ２２と、背面カバー２３と、底面カバー２４と、を有する。
【００２５】
図１および図５に示されるように、正面カバー２１は、Ｙ方向に沿った視線で四角形のベース壁２１ａと、Ｙ方向に沿った視線で四角形の枠部２１ｂと、を有する。ベース壁２１ａは、枠部２１ｂにおけるＹ方向の中間部に配置されている。ベース壁２１ａは、ディスプレイ３の表示画面３ａとは反対側すなわちディスプレイ３の後面３ｂを覆っている。枠部２１ｂにおけるベース壁２１ａのＹ方向側にディスプレイ３が収容され、ベース壁２１ａにディスプレイ３が固定されている。枠部２１ｂにおけるベース壁２１ａのＹ方向の反対方向側にシャーシ２２が収容され、ベース壁２１ａにシャーシ２２が固定されている。ベース壁２１ａは、仕切壁とも称される。
【００２６】
図５に示される底面カバー２４は、シャーシ２２に固定された状態で、正面カバー２１の下端部と背面カバー２３の下端部との間の開口部を塞いでいる。
【００２７】
図６は、実施形態の第一電子機器１Ａの例示的な背面図であって、スタンドカバー２５が取り外された状態の図である。
【００２８】
図５および図６に示されるように、背面カバー２３は、ベース壁２３ａと、上壁２３ｄと、左壁２３ｅと、右壁２３ｆと、左張出部２３ｇと、右張出部２３ｈと、を有する。ベース壁２３ａは、正面カバー２１のベース壁２１ａに対してディスプレイ３の反対側に位置されている。上壁２３ｄ、左壁２３ｅ、および右壁２３ｆは、それぞれ、ベース壁２３ａの、上端部、左端部、および右端部から、Ｙ方向に延びている。また、左張出部２３ｇは、左壁２３ｅのＹ方向の端部からＸ方向の反対方向に延びている。また、右張出部２３ｈは、右壁２３ｆのＹ方向の端部からＸ方向に延びている。
【００２９】
また、図６に示されるように、背面カバー２３は、第一スタンド４Ａおよびスタンドカバー２５が取り付けられる凹状の取付面２３ｊを有する。取付面２３ｊの詳細は後述する。
【００３０】
背面カバー２３は、雄ネジ等の結合具９０Ａ，９０Ｂによって正面カバー２１およびシャーシ２２と互いに固定されている。結合具９０Ａ，９０Ｂは、不図示の雌ネジと結合している。
【００３１】
図７は、実施形態の第一電子機器１Ａにおける第一スタンド４Ａの正面側からの例示的な斜視図である。
【００３２】
図７に示されるように、第一スタンド４Ａは、スタンド本体３０と、二つの軸部３１と、二つの結合部３２と、二つの固定部３３と、を有する。第一スタンド４Ａは、軸部３１によって筐体２を回転可能に支持する。軸部３１の軸方向は、Ｘ方向に沿う。以後、特に断らない限り、軸方向は、軸部３１の軸方向である。
【００３３】
スタンド本体３０は、ベース部３０ａと、二つの前脚３０ｂと、二つの後脚３０ｃと、を有する。ベース部３０ａは、軸方向すなわちＸ方向に延びている。二つの前脚３０ｂは、ベース部３０ａの軸方向の両端部から前方斜め下方に延びている。二つの後脚３０ｃは、ベース部３０ａの軸方向の両端部から後方斜め下方に延びている。
【００３４】
二つの軸部３１は、Ｘ方向すなわち軸方向に互いに間隔を空けて並んでいる。各軸部３１は、結合部３２を介してベース部３０ａに結合されている。軸部３１は、軸方向に沿う回転中心回りに回転可能に結合部３２に支持されている。軸部３１には、固定部３３を介して筐体２の背面カバー２３のベース壁２３ａが固定されている。固定部３３は、ネジ等の結合具９０Ｃによってベース壁２３ａに固定されている。軸部３１と結合部３２と固定部３３とはヒンジ部を構成する。換言すると、ヒンジ部は、軸部３１と結合部３２と固定部３３とを有する。
【００３５】
次に、背面カバー２３の取付面２３ｊについて詳細に説明する。図８は、実施形態の第一電子機器１Ａにおける筐体２の例示的な背面図である。図９は、実施形態の第一電子機器１Ａにおける筐体２の背面側からの例示的な斜視図である。図１０は、実施形態の第一電子機器１Ａにおける筐体２の背面側からの例示的な斜視図である。図１１は、実施形態の第一電子機器１Ａにおける一部の例示的な断面図である。
【００３６】
図８〜図１０に示されるように、取付面２３ｊは、Ｙ方向の反対方向を向いたベース面２３ｋと、ベース面２３ｋの周縁部からＹ方向の反対方向に延びた周面２３ｍと、を有する。
【００３７】
取付面２３ｊには、複数の孔２３ｐ，２３ｑ，２３ｒ，２３ｓおよび通気口２３ｎが設けられている。通気口２３ｎは、スタンドカバー２５の通気口４０ａとＹ方向に並び、通気口４０ａと通じている。通気口２３ｎ，４０ａは、複数のスリットによって構成されている。
【００３８】
また、取付面２３ｊのベース面２３ｋには、複数の支持部２６〜２８が設けられている。支持部２６〜２８は、筐体２に含まれる。複数の支持部２６〜２８は、軸方向すなわちＸ方向に互いに間隔を空けて並んでいる。支持部２６には、孔２６ａ，２６ｂが設けられている。支持部２７には、孔２７ａ，２７ｂが設けられている。支持部２８には、孔２８ａが設けられている。
【００３９】
次に、スタンドカバー２５について詳細に説明する。
【００４０】
図２、図５、および図１１に示されるように、スタンドカバー２５は、上側部材４０と、下側部材５０と、を有する。また、スタンドカバー２５は、上側部材４０と下側部材５０とに亘る湾曲壁２５ａを有する。スタンドカバー２５は、カバーの一例であり、上側部材４０は、第一部材の一例であり、下側部材は、第二部材の一例である。
【００４１】
図１２は、実施形態の第一電子機器１Ａにおけるスタンドカバー２５の上側部材４０の背面側からの例示的な斜視図である。図１３は、実施形態の第一電子機器１Ａにおけるスタンドカバー２５の上側部材４０の正面側からの例示的な斜視図である。図１４は、実施形態の第一電子機器１Ａにおけるスタンドカバー２５の上側部材４０の例示的な正面図である。図１５は、実施形態の第一電子機器１Ａにおけるスタンドカバー２５の上側部材４０の一部の例示的な斜視図である。図１６は、実施形態の第一電子機器１Ａにおけるスタンドカバー２５の上側部材４０の一部の例示的な斜視図である。
【００４２】
図１２〜図１４に示されるように、上側部材４０は、ベース壁４１ａと、突出壁４１ｂと、複数の爪４２，４３，４４，４５と、を有する。
【００４３】
ベース壁４１ａは、上端部４１ａａと、下端部４１ａｂと、右端部４１ａｃと、左端部４１ａｄと、を有する。
【００４４】
突出壁４１ｂは、平坦壁４１ｂａと、湾曲壁４１ｂｂと、側部４１ｂｃ，４１ｂｄと、合わせ部４１ｂｅと、を有する。合わせ部４１ｂｅは、端部を構成する。
【００４５】
複数の爪４２は、ベース壁４１ａの上端部４１ａａに設けられている。複数の爪４２は、軸方向、すなわちＸ方向に互いに間隔を空けて並んでいる。複数の爪４２は、筐体２の複数の孔２３ｐに入れられた状態で筐体２に引っ掛かる。爪４２は、孔２３ｐに対して挿入および離脱される。
【００４６】
複数の爪４４は、ベース壁４１ａの右端部４１ａｃに設けられた右側の爪４４Ｒと、ベース壁４１ａの左端部４１ａｄに設けられた左側の爪４４Ｌと、を含む。各爪４４は、ベース４４ａと、ベース４４ａから張り出した張出部４４ｂと、を有する。図１５に示されるように、張出部４４ｂは、平坦部４４ｂａと、湾曲部４４ｂｂと、を有する。複数の爪４４は、筐体２の複数の２３ｒに張出部４４ｂ（平坦部４４ｂａおよび湾曲部４４ｂｂ）が入れられた状態で筐体２に引っ掛かる。爪４４は、弾性変形を伴って孔２３ｒに対して挿入および離脱される。
【００４７】
図１２〜図１４に示されるように、複数の爪４３は、ベース壁４１ａの下端部４１ａｂに設けられている。複数の爪４３は、軸方向、すなわちＸ方向に互いに間隔を空けて並んでいる。各爪４３は、ベース４３ａと、ベース４３ａから張り出した張出部４３ｂと、を有する。図１６に示されるように、張出部４３ｂは、平坦部４３ｂａと、二つの湾曲部４３ｂｂと、を有する。複数の爪４３は、筐体２の複数の孔２３ｓに張出部４３ｂ（平坦部４３ｂａおよび湾曲部４３ｂｂ）が入れられた状態で筐体２に引っ掛かる。爪４３は、弾性変形を伴って孔２３ｓに対して挿入および離脱される。ここで、孔２３ｓは、取付面２３ｊのベース面２３ｋに設けられている。
【００４８】
図１２〜図１４に示されるように、複数の爪４５は、突出壁４１ｂの湾曲壁４１ｂｂに設けられている。複数の爪４５は、軸方向、すなわちＸ方向に互いに間隔を空けて並んでいる。複数の爪４５は、二つの爪４５Ｒと、二つの爪４５Ｒに対してＸ方向側に位置する二つの爪４５Ｌを含む。Ｘ方向の位置において、二つの爪４５Ｒと二つの爪４５Ｌとの間に二つの軸部３１が位置する。すなわち、軸方向と直交する方向（例えばＹ方向やＹ方向の反対方向）から見た場合に、二つの軸部３１の外側に、二つの爪４５Ｒおよび二つの爪４５Ｌとが位置されている。複数の爪４５は、ベース４５ａと、ベース４５ａから軸方向に突出した突起４５ｂと、を有する。各突起４５ｂは、軸方向において軸部３１と離間する方向に突出している。突起４５ｂは、円柱状である。これにより、筐体２の応力集中を抑制することができる。複数の爪４５は、筐体２の孔２６ａ，２７ａに入れられた状態で筐体２に引っ掛かる。
【００４９】
図１７は、実施形態の第一電子機器１Ａにおけるスタンドカバー２５の下側部材５０の背面側からの例示的な斜視図である。図１８は、実施形態の第一電子機器１Ａにおけるスタンドカバー２５の下側部材５０の背面側からの例示的な斜視図である。図１９は、実施形態の第一電子機器１Ａにおけるスタンドカバー２５の下側部材５０の例示的な正面図である。図２０は、実施形態の第一電子機器１Ａにおけるスタンドカバー２５の下側部材５０の一部の例示的な斜視図である。
【００５０】
図１７〜図１９に示されるように、下側部材５０は、平坦壁５１ａと、湾曲壁５１ｂと、側壁５１ｃと、合わせ部５１ｅと、複数の爪５２，５３，５４，５５と、複数のリブ５６と、有する。
【００５１】
平坦壁５１ａは、前端部５１ａａと、後端部５１ａｂと、右端部５１ａｃと、左端部５１ａｄと、を有する。
【００５２】
複数の爪５２は、平坦壁５１ａの前端部５１ａａに設けられている。複数の爪５２は、軸方向すなわちＸ方向に互いに間隔を空けて並んでいる。複数の爪５２は、筐体２の複数の孔２３ｑに入れられた状態で筐体２に引っ掛かる。爪５２は、孔２３ｑに対して挿入および離脱される。
【００５３】
複数の爪５３は、合わせ部５１ｅに設けられている。複数の爪５３は、軸方向すなわちＸ方向に互いに間隔を空けて並んでいる。複数の爪５３は、上側部材４０の複数の孔４１ｂｆに入れられた状態で上側部材４０に引っ掛かる。爪５３は、位置決め用爪の一例であり、孔４１ｂｆは、位置決め用孔の一例である。
【００５４】
複数の爪５４は、湾曲壁５１ｂの右端部に設けられた右側の爪５４Ｒと、湾曲壁５１ｂの左端部に設けられた左側の爪５４Ｌと、を含む。各爪５４は、ベース５４ａと、ベース５４ａから張り出した張出部５４ｂと、を有する。図２０に示されるように、張出部５４ｂは、平坦部５４ｂａと、湾曲部５４ｂｂと、を有する。複数の爪５４は、筐体２の複数の孔２６ｂに張出部５４ｂ（平坦部５４ｂａおよび湾曲部５４ｂｂ）が入れられた状態で筐体２に引っ掛かる。爪５４は、弾性変形を伴って孔２６ｂに対して挿入および離脱される。
【００５５】
図１８および図１９に示されるように、複数の爪５５は、湾曲壁５１ｂの上端部に設けられている。複数の爪５５は、軸方向、すなわちＸ方向に互いに間隔を空けて並んでいる。複数の爪は、爪５５Ａ〜５５Ｄを含む。爪５５は、ベース５５ａと、ベース５５ａから軸方向に突出した突起５５ｂと、を有する。突起５５ｂは、円柱状である。これにより、筐体２の応力集中を抑制することができる。複数の爪５５は、突起５５ｂが筐体２の複数の孔２７ｂ，２８ａに入れられた状態で筐体２に引っ掛かる。複数の爪５５は、爪５５Ａと、爪５５ＡのＸ方向側に位置された爪５５Ｂと、爪５５ＢのＸ方向側に位置された爪５５Ｃと、爪５５ＣのＸ方向側に位置された爪５５Ｄと、を含む。
【００５６】
以上の構成のスタンドカバー２５では、湾曲壁２５ａは、軸方向およびＹ方向の反対方向（第一方向）と交差するＺ方向（第二方向）に並ぶ湾曲壁４１ｂｂ，５１ｂ（二つの部分）に分割されている。スタンドカバー２５は、湾曲壁４１ｂｂ，５１ｂの一方（湾曲壁４１ｂｂ）を有した上側部材４０と、湾曲壁４１ｂｂ，５１ｂの他方（湾曲壁５１ｂ）を有した下側部材５０と、を有する。上側部材４０と下側部材５０とは、Ｚ方向に並んでいる。
【００５７】
また、筐体２とスタンド４とは、少なくとも結合具９０Ｃによって結合されている。そして、スタンドカバー２５は、結合具９０Ｃを覆っている。
【００５８】
また、上側部材４０および下側部材５０は、互いの最も離れた端部である上端部４１ａａおよび前端部５１ａａに筐体２に引っ掛かる爪４２，５２を有している。
【００５９】
また、上側部材４０および下側部材５０の少なくとも一方は、右端部４１ａｃおよび左端部４１ａｄに設けられ、先端部を構成する張出部４４ｂに、湾曲部４４ｂｂを有した爪４４，４４Ｌ，４４Ｒを有する。湾曲部４４ｂｂは孔２３ｒに入れられている。
【００６０】
また、上側部材４０および下側部材５０の少なくとも一方（一例として下側部材５０）には、作業者の指の挿入が可能な作業孔５１ｈが設けられている。作業孔５１ｈは、一例として二つ設けられている。各作業孔５１ｈごとに、二つの爪５５が設けられている（図１９）。具体的には、一方の作業孔５１ｈに対して爪５５Ａ，５５Ｂが設けられ、他方の作業孔５１ｈに対して爪５５Ｃ，５５Ｄが設けられている。なお、作業孔５１ｈは、上側部材４０に設けられていてもよいし、上側部材４０および下側部材５０の両方に設けられていてもよい。
【００６１】
また、湾曲壁４１ｂｂ，５１ｂのうち一方に爪５３が設けられ、湾曲壁４１ｂｂ，５１ｂのうち他方に爪５３が入れられた孔４１ｂｆが設けられている。
【００６２】
また、上側部材４０および下側部材５０の少なくとも一方には、軸方向に突出し筐体２に引っ掛かった突起４５ｂ，５５ｂが設けられている。
【００６３】
また、上側部材４０および下側部材５０のうち作業孔５１ｈが設けられた方（一例として下側部材５０）において作業孔５１ｈごとに突起４５ｂ，５５ｂが設けられている。突起４５ｂ，５５ｂは、対応する作業孔５１ｈから離間するように軸方向に突出している。
【００６４】
また、軸部３１は、軸方向に互いに間隔を空けて二つ設けられている。そして、軸方向と直交する方向（例えばＹ方向やＹ方向の反対方向）から見た場合に二つの軸部３１の外側に位置され、二つの軸部３１から離間するように軸方向に突出した突起４５ｂ，５５ｂが設けられている。
【００６５】
次に、上記構成のスタンドカバー２５の着脱方法について説明する。図２１は、実施形態の第一電子機器１Ａのスタンドカバー２５の着脱工程を例示的に示す図である。図２２は、実施形態の第一電子機器１Ａのスタンドカバー２５の着脱工程を例示的に示す図である。
【００６６】
スタンドカバー２５の取り付けにおいては、一例として、まず、作業者は、筐体２に上側部材４０を取り付ける。このとき、作業者は、爪４２を孔２３ｐに入れた状態で、上側部材４０を、爪４２を中心として図２１の時計回りに回転させて、他の爪４３，４４，４５を孔２３ｓ，２３ｒ，２６ａ，２７ａに入れて筐体２に引っ掛ける。この際、湾曲部４３ｂｂ，４４ｂｂが設けられているので、筐体２に掛かる負荷が小さくなりやすい。次に、作業者は、筐体２に下側部材５０を取り付ける。一例として、作業者は、爪５２を孔２３ｑに入れた状態で、下側部材５０を、爪５２を中心として図２２の反時計回りに回転させて、他の爪５４，５５を孔２６ｂ，２７ｂ，２８ａに入れて筐体２に引っ掛ける。この際、湾曲部５４ｂｂが設けられているので、筐体２に掛かる負荷が小さくなりやすい。
【００６７】
スタンドカバー２５の取り外しは、スタンドカバー２５の取り付けと逆の手順で行われる。すなわち、一例として、まず、作業者は、筐体２から下側部材５０を取り外す。一例として、作業者は、作業孔５１ｈに指を入れて、下側部材５０を、爪５２を中心として図２２の時計回りに回転させて、他の爪５４，５５を孔２６ｂ，２７ｂ，２８ａから離脱させる。この際、湾曲部５４ｂｂが設けられているので、筐体２に掛かる負荷が小さくなりやすい。次に、作業者は、筐体２から上側部材４０を取り外す。一例として、作業者は、上側部材４０を、爪４２を中心として図２１の反時計回りに回転させて、他の爪４３，４４，４５を孔２３ｓ，２３ｒ，２６ａ，２７ａから離脱させる。この際、湾曲部４３ｂｂ，４４ｂｂが設けられているので、筐体２に掛かる負荷が小さくなりやすい。
【００６８】
（第二電子機器）
次に、第二電子機器１Ｂについて、第一電子機器１Ａとの相違点を主に説明する。図２３は、実施形態の第二電子機器１Ｂの例示的な背面図であって、スタンドカバー２５が取り外された状態の図である。図２４は、実施形態の第二電子機器１Ｂにおける第二スタンド４Ｂの正面側からの例示的な斜視図である。図２５は、実施形態の第二電子機器１Ｂのスタンドカバー２５の着脱工程を例示的に示す図である。
【００６９】
図２３〜図２５に示されるように、第二電子機器１Ｂは、第一スタンド４Ａに替えて第二スタンド４Ｂを備える。
【００７０】
第二スタンド４Ｂは、スタンド本体１３０と、二つの軸部３１と、二つの結合部１３２と、二つの固定部３３と、を有する。
【００７１】
スタンド本体１３０は、ベース部１３０ａと、二つの前脚１３０ｂと、二つの後脚１３０ｃと、二つの接続部１３０ｄと、二つの上側部１３０ｅと、二つの柱部１３０ｆと、を有する。ベース部１３０ａは、軸方向すなわちＸ方向に延びている。二つの前脚１３０ｂは、ベース部１３０ａの軸方向の両端部に接続された二つの接続部１３０ｄから前方斜め下方に延びている。二つの後脚１３０ｃは、ベース部１３０ａの軸方向の両端部に接続部１３０ｄから後方斜め下方に延びている。二つの上側部１３０ｅは、ベース部１３０ａの上方すなわちＺ方向側に位置され、二つの接続部１３０ｄおよび二つの柱部１３０ｆを介してベース部１３０ａに接続されている。二つの上側部１３０ｅに二つの結合部１３２を介して二つの軸部３１が結合されている。軸部３１は、結合部１３２に回転可能に支持されている。
【００７２】
上記構成の第二電子機器１Ｂにけるスタンドカバー２５の着脱手順は、第一電子機器１Ａと同様である。
【００７３】
（実施形態の効果）
以上のように、本実施形態では、電子機器１（表示装置）は、例えば、ディスプレイ３と、筐体２と、スタンド４と、スタンドカバー２５（カバー）と、を備える。筐体２は、ディスプレイ３を収容している。スタンド４は、筐体２を回転可能に支持する軸部３１を有する。スタンドカバー２５は、軸部３１の軸方向と交差するＹ方向の反対方向（第一方向）に筐体２に対して凸の湾曲状であり軸部３１を覆った湾曲壁２５ａ（壁）を有し、筐体２に着脱可能である。湾曲壁２５ａは、軸方向およびＹ方向の反対方向と交差するＺ方向（第二方向）に並ぶ湾曲壁４１ｂｂ，５１ｂ（二つの部分）に分割されている。スタンドカバー２５は、湾曲壁４１ｂｂ，５１ｂの一方（湾曲壁４１ｂｂ）を有した上側部材４０（第一部材）と、湾曲壁４１ｂｂ，５１ｂの他方（湾曲壁５１ｂ）を有した下側部材５０（第二部材）と、を有する。上側部材４０と下側部材５０とは、Ｚ方向に並んでいる。
【００７４】
このような構成によれば、例えば、スタンドカバー２５は、軸部３１以外の形状が異なる複数種類のスタンド４（第一スタンド４Ａ，第二スタンド４Ｂ）を覆うことができる。よって、スタンドカバー２５の共通化がしやすい。すなわち、他の電子機器である第二電子機器１Ｂとスタンドカバー２５の共通化がしやすい新規な構成の第一電子機器１Ａを得ることができる。換言すると、他の電子機器である第一電子機器１Ａとスタンドカバー２５の共通化がしやすい新規な構成の第二電子機器１Ｂを得ることができる。また、このような構成によれば、背面カバー２３の共通化もしやすい。また、このような構成によれば、スタンド４のデザインのバリエーションを安価に増やすことができる。
【００７５】
また、上記の通り、スタンドカバー２５は、湾曲壁４１ｂｂ，５１ｂの一方（湾曲壁４１ｂｂ）を有した上側部材４０（第一部材）と、湾曲壁４１ｂｂ，５１ｂの他方（湾曲壁５１ｂ）を有した下側部材５０（第二部材）と、を有する。よって、例えば、軸方向に延びるベース部３０ａ，１３０ａを有するスタンド４であっても、スタンドカバー２５の着脱を容易に行うことができる。つまり、本実施形態によれば、スタンドカバー２５の着脱を容易に行いやすい新規な構成の電子機器１を得るという課題を解決することができる。
【００７６】
また、本実施形態では、電子機器１は、例えば、筐体２とスタンド４とを結合した結合具９０Ｃを備える。スタンドカバー２５は、結合具９０Ｃを覆う。
【００７７】
このような構成によれば、例えば、電子機器１の美観を向上させやすい。
【００７８】
また、本実施形態では、例えば、上側部材４０および下側部材５０は、互いの最も離れた端部である上端部４１ａａおよび前端部５１ａａに筐体２に引っ掛かる爪４２，５２（第一爪）を有する。
【００７９】
このような構成によれば、例えば、上側部材４０および下側部材５０を、それぞれ、第４２，５２を中心として回転させることで、上側部材４０および下側部材５０の着脱をすることができる。
【００８０】
また、本実施形態では、例えば、上側部材４０および下側部材５０の少なくとも一方は、右端部４１ａｃおよび左端部４１ａｄに設けられ、張出部４４ｂ（先端部）に湾曲部４４ｂｂを有した爪４４（第二爪）を有する。筐体２には、湾曲部４４ｂｂが入れられた孔２３ｒが設けられている。
【００８１】
このような構成によれば、例えば、上側部材４０および下側部材５０の少なくとも一方の右端部４１ａｃおよび左端部４１ａｄが筐体２から離れるのを抑制しやすい。
【００８２】
また、本実施形態では、例えば、上側部材４０および下側部材５０の少なくとも一方には、作業者の指の挿入が可能な作業孔５１ｈが設けられている。
【００８３】
このような構成によれば、例えば、作業者は、作業孔５１ｈに指を挿入してスタンドカバー２５の着脱操作を行うことができる。
【００８４】
また、本実施形態では、例えば、湾曲壁４１ｂｂ，５１ｂのうち一方（一例として湾曲壁５１ｂ）に爪５３が設けられ、湾曲壁４１ｂｂ，５１ｂのうち他方（一例として湾曲壁４１ｂｂ）に爪５３が入れられた孔４１ｂｆが設けられている。湾曲壁４１ｂｂに爪５３が設けられ、湾曲壁５１ｂに爪５３が入れられた孔４１ｂｆが設けられていてもよい。
【００８５】
このような構成によれば、湾曲壁４１ｂｂ，５１ｂの位置ずれを抑制しやすい。よって、湾曲壁４１ｂｂ，５１ｂ間（湾曲壁４１ｂｂ，５１ｂの境界）に段差が発生するのが抑制されやすい。
【００８６】
また、本実施形態では、電子機器１は、例えば、上側部材４０および下側部材５０の少なくとも一方に設けられ、軸方向に突出し筐体２に引っ掛かった突起４５ｂ，５５ｂを備える。
【００８７】
このような構成によれば、例えば、筐体２に対するスタンドカバー２５の取り付けを強固にしやすい。
【００８８】
また、本実施形態では、電子機器は、例えば、上側部材４０および下側部材５０のうち作業孔５１ｈが設けられた方において作業孔５１ｈごとに設けられ、対応する作業孔５１ｈから離間するように軸方向に突出した突起４５ｂ，５５ｂを備える。
【００８９】
このような構成によれば、作業孔５１ｈに指を挿入してスタンドカバー２５の着脱操作を行う際に、筐体２に対する突起４５ｂ，５５ｂの引っ掛けおよび離脱がしやすい。
【００９０】
また、本実施形態では、例えば、軸部３１は、軸方向に互いに間隔を空けて二つ設けられている。電子機器１は、軸方向と直交する方向から見た場合に二つの軸部３１の外側に位置され、二つの軸部３１から離間するように軸方向に突出した突起５５ｂを備える。
【００９１】
このような構成によれば、作業孔５１ｈに指を挿入してスタンドカバー２５の着脱操作を行う際に、筐体２に対する突起５５ｂの引っ掛けおよび離脱がしやすい。
【００９２】
また、本実施形態では、上側部材４０のベース壁４１ａの下端部４１ａｂに爪４３が設けられ、爪４３は、筐体２の孔２３ｓに入れられた状態で筐体２に引っ掛かる。
【００９３】
このような構成によれば、上側部材４０のベース壁４１ａの下端部４１ａｂに爪４３が設けられ、爪４３は、筐体２の孔２３ｓに入れられた状態で筐体２に引っ掛かる。
【００９４】
このような構成によれば、上側部材４０のベース壁４１ａの下端部４１ａｂが筐体２から離れるのを抑制しやすい。
【００９５】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００９６】
１…電子機器（表示装置）、１Ａ…第一電子機器（表示装置）、１Ｂ…第二電子機器（表示装置）、２…筐体、３…ディスプレイ、２３ｒ…孔、２５…スタンドカバー（カバー）、２５ａ…湾曲壁（壁）、３１…軸部、４０…上側部材（第一部材）、４１ａａ…上端部（端部）、４１ａｃ…右端部（端部）、５１ａａ…前端部（端部）、４１ｂｂ，５１ｂ…湾曲壁（部分）、４１ｂｆ…孔、４２，５２…爪（第一爪）、４４…爪（第二爪）、４４ｂ…張出部（先端部）、４４ｂｂ…湾曲部、４５ｂ，５５ｂ…突起、５０…下側部材（第二部材）、５１ｈ…作業孔、５３…爪（位置決め用爪）、９０Ｃ…結合具。
【要約】
【課題】他の表示装置とカバーの共通化がしやすい新規な構成の表示装置を得る。
【解決手段】表示装置は、ディスプレイと、筐体と、スタンドと、カバーと、を備える。筐体は、ディスプレイを収容している。スタンドは、筐体を回転可能に支持する軸部を有する。スタンドカバーは、軸部の軸方向と交差する第一方向に筐体に対して凸の湾曲状であり軸部を覆った壁を有し、筐体に着脱可能である。壁は、第二方向に並ぶ二つの部分に分割されている。カバーは、壁の一方を有した第一部材と、壁の他方を有した第二部材と、を有する。第一部材と第二部材とは、第二方向に並んでいる。
【選択図】図１１【図１】
0006860803.tif 000002
【図２】
0006860803.tif 000003
【図３】
0006860803.tif 000004
【図４】
0006860803.tif 000005
【図５】
0006860803.tif 000006
【図６】
0006860803.tif 000007
【図７】
0006860803.tif 000008
【図８】
0006860803.tif 000009
【図９】
0006860803.tif 000010
【図１０】
0006860803.tif 000011
【図１１】
0006860803.tif 000012
【図１２】
0006860803.tif 000013
【図１３】
0006860803.tif 000014
【図１４】
0006860803.tif 000015
【図１５】
0006860803.tif 000016
【図１６】
0006860803.tif 000017
【図１７】
0006860803.tif 000018
【図１８】
0006860803.tif 000019
【図１９】
0006860803.tif 000020
【図２０】
0006860803.tif 000021
【図２１】
0006860803.tif 000022
【図２２】
0006860803.tif 000023
【図２３】
0006860803.tif 000024
【図２４】
0006860803.tif 000025
【図２５】
0006860803.tif 000026